【手続補正書】
【提出日】平成21年1月9日(2009.1.9)
【手続補正１】
【補正対象書類名】特許請求の範囲
【補正対象項目名】全文
【補正方法】変更
【補正の内容】
【特許請求の範囲】
【請求項１】
シリンジと共に使用するプランジャ駆動ラムを前進させるモータを有する注入器であって、
前記モータの動きを制御するためのプログラム化したプロセッサを含み、前記プロセッサは、前記プランジャ駆動ラムを所定のパージ停止点まで自動的に第１の流速で前進させるよう構成され、前記所定のパージ停止点に達すると、引き続いて、前記プランジャ駆動ラムを第２の低流速で前進させるための前進手段によって特徴付けられる注入器。
【請求項２】
前記前進手段が手動で起動可能な前進手段により構成されている、請求項１に記載の注入器。
【請求項３】
概ね既知量のガスを含有するプレフィルドシリンジと共に使用する、請求項１または２に記載の注入器であって、前記注入器は、パラメータを記憶するメモリをさらに含み、該パラメータから、前記所定のパージ停止点が、前記注入器の特定のプレフィルドシリンジに含有された概ね既知量のガスから誘導され得る、注入器。
【請求項４】
前記注入器が、概ね既知量の空気を含有する延長チューブと共に使用するようさらに構成されており、
前記メモリが、前記延長チューブ中の前記概ねの空気量を表す値を記憶し、
前記注入器が、前記延長チューブに含有される前記空気の概ね既知量に実質的に等しい追加量、前記プランジャ駆動ラムを自動的に前進させるように構成されている、請求項３に記載の注入器。
【請求項５】
前記所定のパージ停止点がユーザー調整されるように前記注入器が構成されている、請求項１〜４のいずれか１項に記載の注入器。
【請求項６】
前記所定のパージ停止点が較正されるように前記注入器が構成されている、請求項１〜５のいずれか１項に記載の注入器。
【請求項７】
前記所定のパージ停止点が履歴情報に基づくように前記注入器が構成されている、請求項１〜６のいずれか１項に記載の注入器。
【請求項８】
パージが操作者入力により停止するまで、パージ完了のために、前記注入器が付加流体を前記低流速で自動的にパージする、請求項１に記載の注入器。
【請求項９】
充填時に曝気により付加された概ね既知量の空気を潜在的に含有し、且つ前記プランジャ駆動ラムと前記シリンジプランジャとの間に機械的間隙を有するユーザーフィルドシリンジと共に使用する請求項１に記載の注入器であって、前記ユーザーフィルドシリンジに充填中、曝気により付加された前記空気の概ね既知量及び／又は前記プランジャ駆動ラムと前記シリンジプランジャとの間の前記機械的間隙を表す所定のパージ停止点を記憶するメモリをさらに含む、注入器。
【請求項１０】
第１のシリンジを受けるよう構成された第１のヘッドと、
第２のシリンジを受けるよう構成された第２のヘッドと、
前記第１及び第２のシリンジを結合するＹ型チューブと、
を含む二重ヘッド注入器であって、
前記二重ヘッド注入器は、前記第１及び／又は第２のシリンジ及び／又は前記Ｙ型チューブから実質的に全ての空気を自動的にパージし、シリンジ及び／又はＹ型チューブの自動パージにおいて所定パージ停止点に達すると、低流速を可能にするように構成されている、二重ヘッド注入器。
【請求項１１】
概ね既知量のガスを含有するプレフィルドシリンジと共に使用する、請求項１０に記載の二重ヘッド注入器であって、前記注入器パラメータを記憶するメモリをさらに含み、該パラメータから、前記所定のパージ停止点が、前記注入器の特定のプレフィルドシリンジに含有されるガスの概ね既知量から誘導され得る、二重ヘッド注入器。
【請求項１２】
前記Ｙ型チューブが、前記第１のヘッドに結合した第１のセクションを含み、前記注入器が、前記第１のヘッドが最初に、前記第１のシリンジ及び前記チューブの第１のセクションから空気をパージするように構成されている、請求項１０または１１に記載の二重ヘッド注入器。
【請求項１３】
前記Ｙ型チューブが、前記第２のヘッドに結合した第２のセクション、前記第１及び第２のセクションに結合したコネクタ、及び前記コネクタに結合した第３のセクションを含み、前記注入器が、前記第２のヘッドが、次に、前記第２のシリンジ、前記チューブの第２のセクション、前記コネクタ及び前記チューブの第３のセクションから空気をパージするように構成されている、請求項１２に記載の二重ヘッド注入器。
【請求項１４】
前記第１のシリンジが造影剤のプレフィルドシリンジである、請求項１０〜１３のいずれか１項に記載の二重ヘッド注入器。
【請求項１５】
前記第２のシリンジが食塩水を含有する、請求項１４に記載の二重ヘッド注入器。
【請求項１６】
前記第１及び第２のシリンジのうち１つが造影剤を含有する、請求項１０〜１３のいずれか１項に記載の二重ヘッド注入器。
【請求項１７】
前記第１及び第２のシリンジのうち１つが食塩水を含有する、請求項１０〜１３のいずれか１項に記載の二重ヘッド注入器。
【請求項１８】
前記低流速を可能にするための手動で起動可能な前進手段をさらに備える、請求項１０〜１７のいずれか１項に記載の注入器。
【請求項１９】
パージが操作者入力により停止されるまで前記低流速を可能にするための、自動前進手段をさらに備える、請求項１０〜１７のいずれか１項に記載の注入器。
【請求項２０】
注入器に装着されたシリンジからガスをパージする方法であって、
モータに電圧を印加して、前記シリンジと共に使用するためのプランジャ駆動ラムを前進させる工程と、
前記プランジャ駆動ラムを所定のパージ停止点まで自動的に第１の流速で前進させるように、前記モータの動きを制御する工程と、
前記所定のパージ停止点に達すると、第２の低流速で前記プランジャ駆動ラムを前進させる工程と、
を含む方法。
【請求項２１】
前記所定のパージ停止点に達すると、前記プランジャ駆動ラムが第２の低流速で手動で駆動される、請求項２０に記載の方法。
【請求項２２】
前記所定のパージ停止点に達すると、前記プランジャ駆動ラムが第２の低流速で自動的に前進させられる、請求項２０に記載の方法。
【請求項２３】
シリンジサイズ及びタイプを決定する工程と、前記シリンジサイズ及びタイプに基づいて前記シリンジに含有されるガスの概ねの量から誘導される前記所定のパージ停止点を決定する工程とをさらに含む、請求項２０〜２２のいずれか１項に記載の方法。
【請求項２４】
ユーザーが前記シリンジを充填できるようにする工程をさらに含む、請求項２０〜２３のいずれか１項に記載の方法。
【請求項２５】
ユーザーがパージボタンを作動すると、電圧を印加することが実施される工程をさらに含む、請求項２０〜２４のいずれか１項に記載の方法。
【請求項２６】
前記所定のパージ停止点が、特定のプレフィルドシリンジ及びそれと共に使用する延長チューブにトラップされた空気の量についての実際の値に基づいている、請求項２０〜２５のいずれか１項に記載の方法。
【請求項２７】
前記所定のパージ停止点が履歴データに基づいている、請求項２０〜２５のいずれか１項に記載の方法。
【請求項２８】
前記シリンジサイズ及びタイプがユーザーインターフェースから入力される、請求項２０〜２７のいずれか１項に記載の方法。
【請求項２９】
前記シリンジサイズ及びタイプが、前記シリンジが結合される面板から誘導される、請求項２０〜２７のいずれか１項に記載の方法。
【請求項３０】
注入器から空気を自動的にパージする方法において、
シリンジ近傍の空気検出器を監視する工程と、
モータに電圧を印加して、ラムを第１の流速で動かし、前記空気検出器を監視しながら、前記シリンジのプランジャを前進させる工程と、
空気が検出されなくなったあと、所定の条件に達したら、前記ラムを停止する工程と、
前記所定の条件に達すると第２の低流速を可能にする工程と、
を含む方法。
【請求項３１】
ユーザーが前記シリンジを充填できるようにする工程をさらに含む、請求項３０に記載の方法。
【請求項３２】
ユーザーがパージボタンを作動すると前記モータに電圧が印加される、請求項３０または３１に記載の方法。
【請求項３３】
空気が検出されない一方で所定量の流体がパージされたあと、前記ラムが停止される、請求項３０〜３２のいずれか１項に記載の方法。
【請求項３４】
前記空気検出器が前記シリンジの放出先端近傍にある、請求項３０〜３２のいずれか１項に記載の方法。
【請求項３５】
前記第２の低流速が前記注入器の手動の運動制御により開始される、請求項３０〜３４のいずれか１項に記載の方法。
【請求項３６】
パージが操作者入力により停止するまで、パージ完了のために、前記第２の低流速が自動的に開始される、請求項３０〜３４のいずれか１項に記載の方法。